(57)【要約】      （修正有）【課題】喫飲時において、流動体が口腔内に安定的に流入する事により、こぼさず、飲みやすい飲食用の食器を提供する。【解決手段】開口部１４に専用の飲み口部１１を備え、飲み口部は、食器を傾け時に安定的に流動体が流れやすくし、飲み口部の位置を開口部より浅く前方に吐出させ、さらに、曲線状、唇に沿われた形状、流動体が流動しやすい飲み口壁面１１ｍを形成する形状とした。【選択図】図１
0003169695.tif 000002
【実用新案登録請求の範囲】
【請求項１】
流動性の飲み物や食材を喫飲するための食器であって、
開口部に飲み口部を設け、
該飲み口部は、底部から立ち上がる壁面の開口部側付近を飲み口壁面とし、
該飲み口壁面を開口部より底面側に下げると共に、開口周囲より外側に突出した形状としたことを特徴とする喫飲用食器。
【請求項２】
請求項１に記載の喫飲用食器であって、
飲み口部に近接する開口部の縁が上方向に盛り上がっていること
を特徴とする喫飲用食器。
【請求項３】
請求項１または２に記載の喫飲用食器であって、
飲み口壁面を曲線状としたことを、
特徴とする喫飲用食器。
【請求項４】
請求項１から３の何れか一項に記載の喫飲用食器であって、
飲み口壁面を、唇の外形に沿った曲率半径約５ｍｍの曲線状としたこと、
を特徴とする喫飲用食器。
【請求項５】
請求項１から４の何れか一項に記載の喫飲用食器であって、
飲み口壁面を、曲線状とし、縁先端付近を膨らませたこと、
を特徴とする喫飲用食器。
【請求項６】
請求項１から５の何れか一項に記載の喫飲用食器であって、
食器底部から飲み口壁面に至る壁面を８０度以下のなだらかな傾斜とした傾斜壁面を設けたこと、
を特徴とする喫飲用食器。
【請求項７】
請求項１から６の何れか一項に記載の喫飲用食器であって、
食器底部から傾斜壁面に至る角部を曲率半径２ｃｍ以上の曲面とした曲面底部を設けたこと、
を特徴とする喫飲用食器。
【請求項８】
請求項１から７の何れか一項に記載の喫飲用食器であって、
中腹部の断面を角の丸い略二等辺三角形状とした握り部を設けたこと、
を特徴とする喫飲用食器。
【請求項９】
請求項１から８の何れか一項に記載の喫飲用食器であって、
飲み口部を２カ所以上としたこと、
を特徴とする喫飲用食器。
【請求項１０】
請求項９に記載の喫飲用食器であって、
各飲み口部の飲み口径を異なる大きさとしたこと、
を特徴とする喫飲用食器。
【請求項１１】
請求項１から１０の何れか一項に記載の喫飲用食器であって、
底部に底部面より広くした台座を設けたこと、
を特徴とする喫飲用食器。
【請求項１２】
請求項１から１１の何れか一項に記載の喫飲用食器であって、
飲み口方向と約直角方向に把手部を設けたこと、
を特徴とする喫飲用食器。
【請求項１３】
請求項１から１２の何れか一項に記載の喫飲用食器であって、
飲み口部の口面ラインを、凹み曲線を描く形状としたこと、
を特徴とする喫飲用食器。
【請求項１４】
請求項１から１３の何れか一項に記載の喫飲用食器であって、
壁面内部を中空にしたこと、
を特徴とする喫飲用食器。
【考案の詳細な説明】
【技術分野】
【０００１】
本考案は、飲みやすく、こぼしにくい喫飲用の食器に関する。
【背景技術】
【０００２】
現在、喫飲用食器として、湯飲み、コーヒーカップ、ガラスコップ等の容器が使われている。
【０００３】
例えば、特許文献１には、特定の訓練等を要せずに頭部動作の反復を抑えることを可能とする食器が開示されており、流動系となる食材の喫飲動作及び飲み込み動作において、頭部運動を小さい角度に抑えることを目的としている。
【先行技術文献】
【特許文献】
【０００４】
【特許文献１】特開２０１０−１９３９８１号公報
【考案の概要】
【考案が解決しようとする課題】
【０００５】
しかし、主に喫飲用食器の傾きと唇との関係から、飲みやすく、こぼしにくくした喫飲用食器は無かった。
【０００６】
そこで本考案は、主に喫飲用食器の傾きと唇の関係から、喫飲用食器の縁形状や、食器の形状から、飲みやすく、こぼしにくい喫飲用食器を提供することを目的とする。
【課題を解決するための手段】
【０００７】
上記課題を解決するために、本考案の一態様に係る喫飲用食器は、
開口部に飲み口部を設け、
該飲み口部は、底部から立ち上がる壁面の開口部側付近を飲み口壁面とし、
該飲み口壁面を開口部より底面側に下げると共に、開口周囲より外側に突出した形状としたことを特徴とする。
【考案の効果】
【０００８】
本考案によれば、傾斜時に食器内部の流動体が安定的に流出すると共に、流動体を受け止める口腔の形状に沿うため口腔内に速やかに安定的に流れ込む。また、傾斜による飲み口部の流動体の水位（流動体表面位置）が上昇しても開口部付近の外壁からあふれ出しにくくなるため、飲みこぼしが少なくなる。そして、飲みこぼしによる、衣類等の汚れが防止できると共に、無駄が減らせる。特に子どもや、老人でも飲みやすく、傾けた際の思わぬ流動物の流れにより気管支に流動して発生する、むせる行為を防止、減少することが可能になる。
【０００９】
また、お年寄りのこぼす行為は、人間の心をすさませる行為にもつながり兼ねない。このような行為を防止、減少することが可能である。
【図面の簡単な説明】
【００１０】
【図１】（ａ）は、本考案の第一の実施形態に係る喫飲用食器１の正面図である。（ｂ）は、その右側面図である。（ｃ）は、その平面図である。
【図２】（ａ）は、本考案の第二の実施形態に係る喫飲用食器２の正面図である。（ｂ）は、その右側面図である。
【図３】（ａ）は、本考案の第三の実施形態に係る喫飲用食器３の正面図、（ｂ）は、その右側面図である。（ｃ）は、その変形例にかかる正面図、（ｄ）は、その右側面図である。
【図４】飲み口部の変形例を示す図である。
【図５】飲み口部の変形例を示す図である。
【図６】（ａ）は、本考案の第四の実施形態に係る喫飲用食器４の正面図である。（ｂ）は、その右側面図である。
【図７】（ａ）は、本考案の第四の実施形態の変形例に係る喫飲用食器４ａの正面図である。（ｂ）は、その右側面図である。
【図８】（ａ）は、本考案の第五の実施形態に係る喫飲用食器５の正面図である。（ｂ）は、その右側面図である。（ｃ）は、手で握った状態のイメージを示す図である。
【図９】（ａ）は、本考案の第六の実施形態に係る喫飲用食器６の正面図である。（ｂ）は、その右側面図である。
【図１０】（ａ）は、第一〜六の実施形態の変形例に係る喫飲用食器７の正面図である。（ｂ）は、その右側面図である。
【図１１】（ａ）（ｂ）は、水を入れた喫飲用食器の傾斜時の様子を示した図である。
【図１２】（ａ）（ｂ）は、水を入れた喫飲用食器の傾斜時の様子を示した図である。
【図１３】（ａ）（ｂ）は、水を入れた喫飲用食器の傾斜時の様子を示した図である。
【図１４】（ａ）（ｂ）は、水を入れた喫飲用食器の傾斜時の様子を示した図である。
【図１５】飲み口部１１の先端部の形状を曲線状とした例を説明する図である。
【図１６】（ａ）、（ｂ）、（ｃ）、（ｄ）飲み口部１１の先端部の形状を曲線状とした例を説明する図である。
【考案を実施するための形態】
【００１１】
本考案の実施の形態について、以下、図に基づいて説明する。
【００１２】
＜第一の実施形態＞
図１（ａ）は、本考案の第一の実施形態に係る喫飲用食器１の正面図である。図１（ｂ）は、その右側面図である。（ｃ）は、その平面図である。
【００１３】
図１（ａ）、（ｂ）、（ｃ）に示すように、喫飲用食器１は底部１２がやや狭まった略円筒形の容器で、開口部１４の一部に飲み口部１１を設けたものである。飲み口部１１は、底部１２から立ち上がる壁面１３の開口部１４側付近を飲み口壁面１１ｍとし、飲み口壁面１１ｍを開口部１４より底部１２側に下げると共に、開口部１４の周囲より外側に突出したものである。
【００１４】
すなわち、飲み口部１１の縁１１ａは、上から見ると「Ｕの字」に形成され、先端に向かうにつれて円筒容器の中心軸から離れ、また、底部１２側に下がっている。飲み口部１１の縁１１ａは、その周囲の開口部１４の縁面に対して傾斜している。
【００１５】
ここで、喫飲用食器１の作用について説明する。
【００１６】
図１１（ａ）は、水を入れた通常のコップ８０を傾けたときの内部の水の流れを示した図である。最初の傾け時に、水はコップ８０の傾斜方向の側面にまとわり、さらに傾斜させると内部の水が流れて出る様子が分かる。
【００１７】
喫飲時の飲みやすい食器の条件として、（１）流体内容量の変化においても常に傾斜方向に流れること、（２）流れは常にスムーズであること、（３）少ない傾斜で全てが流れ出ること、が考えられる。
【００１８】
図１１（ｂ）は、図１に示した第一の実施形態の喫飲用食器１に水を入れた場合の傾斜時の水の流れを示す。傾け当初から、傾斜方向に流れやすいことが分かる。
【００１９】
また、この形状の作用を図１３を用いて説明する。図１３（ａ）は、飲み口部１１’の縁面が傾斜することなく、開口部１４’の縁面と同一面にある形状の喫飲用食器１’であり、図１３（ｂ）は、本第一の実施形態に係る喫飲用食器１である。図１３（ａ）の喫飲用食器１’では、飲み口部１１’を唇に当て、傾けた容器の水の水位が上がった時に、唇と容器の間の隙間から、水がこぼれやすい。一方、図１３（ｂ）に示すように、喫飲用食器１であれば、飲み口部１１の先端が底部１２の方向にやや下がっているために、飲み口壁面１１ｍが「壁」となり、傾け時に水位が増しても唇から水がこぼれにくい。
【００２０】
容器の傾け時に、喫飲時の飲みこぼししにくい条件として、容器傾け時に唇側の飲料の水位が増した際に開口部から漏れが少ない事や、さらに、飲み口からの流体が、唇に平均的に流れる等の要因、さらには容器を持つ手のムリのない動きが挙げられる。本実施形態の喫飲用食器１によれば、これらの課題を解決することができる。
【００２１】
＜第二の実施形態＞
図２（ａ）は、本考案の第二の実施形態に係る喫飲用食器２の正面図である。図２（ｂ）は、その右側面図である。
【００２２】
喫飲用食器２は、図１の喫飲用食器１と似た形状をなしているが、次の点で異なる。すなわち、図２（ｂ）に示すように、飲み口部１１の縁１１ａと、その反対側に位置する開口部１４の縁１４ａとが、側面視において「への字」となるように、飲み口部１１に近接する縁１４ｂが上方向に盛り上がっている。言い換えれば、飲み口部１１と、開口部１４の縁１４ａのうち飲み口部１１の反対側に位置する部分と、の間の縁１４ｂが、それらの上部に位置するように設けている。
【００２３】
この形状の作用を図１４を用いて説明する。図１４（ａ）は、第一の実施形態に係る喫飲用食器１であり、図１４（ｂ）は、本第二の実施形態に係る喫飲用食器２である。図１４（ａ）の喫飲用食器１では、飲み口部１１を唇に当て、傾けた容器の水の水位が過度に上がった時に、唇と容器の間の隙間から、水がこぼれやすい。一方、図１４（ｂ）に示すように、喫飲用食器２であれば、飲み口部１１に近接する縁１４ｂが盛り上がっているため、傾け時に水位が増しても唇から水がこぼれにくい。
【００２４】
＜第三の実施形態＞
図３（ａ）は、本考案の第三の実施形態に係る喫飲用食器３の正面図である。図３（ｂ）は、その右側面図である。
【００２５】
喫飲用食器３は、図２の喫飲用食器２と似た形状をなしているが、次の点で異なる。すなわち、喫飲用食器３は、飲み口壁面１１ｍを側面視において曲線状としたことを特徴とする。喫飲用食器２よりも、水の流れがスムーズに流れるものであり、スムーズに飲みやすくなる。図１５は、喫飲用食器３の飲み口部１１の立体図である。この図に示すように、口面ライン１１ｅと唇の当たる外面ライン１１ｆが曲面で、縁１１ａの内面ラインも外面ライン１１ｆにそっているもので、流動体が滑らかに、飲み口１１の開口部に流れるものである。
【００２６】
図１６は、飲み口部１１の先端部の形状を曲線状とした別の変形例を説明する図である。図１６（ａ）は、比較例として、飲み口が丸い従来の食器を用いて口腔内に飲料を注ぎ込む状態を示し、図１６（ｂ）は、本変形例にかかる喫飲用食器３を用いて、口腔内に飲料を注ぎ込む状態を示す。図１６（ｃ）は、先端付近を立体的に表したものである。本変形例では、飲み口部１１の縁１１ａで構成される開口部の口面ライン１１ｅを、唇形状に合わせて凹み曲線を描く形状としたものである。このように、縁カーブと唇カーブを一致させることで、飲み口部１１の縁１１ａが唇にフィットし、流体物がこぼれにくく、また滑らかな感覚を与えることができる。
【００２７】
本変形例にかかる喫飲用食器３は、さらに、容器の胴体部に、飲み口方向と直角方向から対面方向の間に把手部４０を備えている。使用者が容器の壁を持ち、把手部４０に指を通し手６０の甲を支えた例を示している。把手部４０により、使用者は喫飲用食器３を持ちやすくなり、一段と使いやすいものとなる。また、容器の壁を直接持つことにより、熱さや冷たさが、伝わりやすくなる。図１６（ｄ）は、さらに、壁面１３を２層構造１３ｓとして、内部を中空にし、熱が伝わりにくくした変形例である。また、容器の表面にシリコンのカバーなどを付けて熱の伝わりを防止しても良い。また、それにより滑り易さも緩和する。
【００２８】
図３（ｃ）は、第三の実施形態に係る喫飲用食器３の別の変形例３ａの正面図である。図３（ｄ）は、その右側面図である。
【００２９】
図３（ｄ）に示すように、飲み口壁面１１の形状を、内側が内曲面となるように形成している。これにより、飲み口１１の先端から流れる流体の飛び出し（傾斜方向の押し流れ）を作り出す効果が期待できる。
【００３０】
飲み口部１１は、さらに、下記のようにしてもよい。
【００３１】
例えば、図４に示すように、飲み口壁面１１ｍを、唇５０の外形に沿った曲率半径約５ｍｍの曲線状としてもよい。唇の丸みにフィットし喫飲時に唇５０に滑らかな感覚を与えると共に、こぼれにくくするものである。
【００３２】
また、図５に示すように、飲み口壁面１１ｍを、曲線状とし、縁先端１１ｐ付近を膨らませてもよい。こうすれば、唇５０に触れた上部が丸いため、唇から容器の縁が逃げにくく、安定して飲めるものとなる。また、縁先端１１ｐが厚く丸いため滑らか感を増すと共に、陶器や磁器で製作した場合でも壊れにくく、また、プラスチック等で製作した場合には、縁１１ａが傷付きにくく、角、亀裂が出にくく、滑らかな感覚が持続される。
【００３３】
＜第四の実施形態＞
図６（ａ）は、本考案の第四の実施形態に係る喫飲用食器４の正面図である。図６（ｂ）は、その右側面図である。
【００３４】
喫飲用食器４は、図１〜５の喫飲用食器１、２、３のいずれかと似た形状をなしているが、さらに次の特徴を備える。すなわち、喫飲用食器４は、底部１２から飲み口壁面１１ｍに至る壁面の角度θを８０度以下のなだらかな傾斜とした傾斜壁面１３ｍを設けた容器である。
【００３５】
図７（ａ）は、図６の喫飲用食器４の変形例であり、底部１２から傾斜壁面１３ｍに至る角部を曲率半径２ｃｍ以上の曲面とした曲面底部１２ｍを設けた喫飲用食器４ａの正面図である。図７（ｂ）は、その右側面図である。
【００３６】
図１２（ａ）（ｂ）は、上述の喫飲用食器４、４ａに水を入れた場合の傾斜時の水の流れを示す。図１２（ａ）に示すように、飲み口に沿った傾斜壁面１３ｍを備えるために、流体内容物がよりスムーズに流れる。図１２（ｂ）に示すように、底面付近が丸い事により、さらに、滑らかに流れることが分かる。また、図１１（ａ）（ｂ）に示した傾斜壁面１３ｍがないものに比べ、全ての流体を流しきる傾き角度が少なくて済むことが分かる。
【００３７】
＜第五の実施形態＞
図８（ａ）は、本考案の第五の実施形態に係る喫飲用食器５の正面図である。図８（ｂ）は、その右側面図である。図８（ｃ）は、Ａ−Ａ断面図であり、手で握った状態を示す図である。
【００３８】
喫飲用食器５は、図１〜７の喫飲用食器１、２、３、３ａ、４、４ａのいずれかと似た形状をなしているが、さらに次の特徴を備える。
【００３９】
図８（ｃ）に示すように、喫飲用食器５は、その中腹部における水平断面が、角の丸い略二等辺三角形となっている握り部１１ｇを備えている。握り部１１ｇの二等辺三角形の底辺に掌を当て、各辺を一方を親指、他方を人差し指とこれに繋がる中指、薬指、小指をあてることにより、優しくムリのない握りで握れると共に、スムーズに持ち上げ、口に運べる事により、指の関節が良く曲がりにくいお年寄り等にも無理な指や、手首の曲げが発生しない。
【００４０】
＜第六の実施形態＞
図９（ａ）は、本考案の第六の実施形態に係る喫飲用食器６の正面図である。図９（ｂ）は、その右側面図である。
【００４１】
喫飲用食器６は、図７の喫飲用食器４ａに似た構成を供え、さらに、大きさや角度（飲み口壁面１１ｍの角度）が異なる飲み口部１１を２カ所備える。例えば、一方を水状の流体を飲む場合用とし、飲み口部１１の開口径を小さめとし、他方を粘りのある流体（クリーム状のスープ、ヨーグルト等）を飲む場合用として、飲み口部１１の開口径を大きめとする。また、飲み口部１１の大きさ（開口部径）は同じとして、飲み口壁面１１ｍの曲線の径（曲率半径）や、傾斜壁面１３ｍの傾斜を異ならせても良い。また、飲み口を三カ所にしてもよく、それぞれの飲み口壁面１１ｍの曲線の径を変えてもよい。
【００４２】
図１０（ａ）は、本考案の上記実施形態に係る喫飲用食器７の変形例の正面図である。図１０（ｂ）は、その右側面図である。
【００４３】
図１０に示すように、上記実施形態の喫飲用食器７（１，２，３，３ａ、４、４ａ、５、６）は、さらに、底部１２に底部面より広くした台座２０を備えていてもよい。底部面を丸めると、不安定になりやすい。そのため、台座２０を設け、座りをよくしたものである。台座２０は、底部１２に一体化したものでも、はめ込んで取り付けられていてもよい。
【００４４】
以上、本考案のいくつかの実施形態及び変形例を説明した。本考案は、これらに制限されることなく、その技術的思想の範囲内でさらに様々な変形が可能であり、それらは全て本考案に含まれる。
【符号の説明】
【００４５】
１、２、３、３ａ、４、４ａ、５、６、７：喫飲用食器
１１：飲み口部
１１ａ：縁
１１ｅ：口面ライン
１１ｆ：外面ライン
１１ｇ：握り部
１１ｍ：飲み口壁面
１１ｐ：縁先端
１２：底部
１２ｍ：曲面底部
１３：壁面
１３ｍ：傾斜壁面
１３ｓ：２層構造
１４：開口部
１４ａ、１４ｂ：縁
２０：台座
４０：把手部
５０：唇
６０：手
８０：コップ
【図１】
0003169695.tif 000003
【図２】
0003169695.tif 000004
【図３】
0003169695.tif 000005
【図４】
0003169695.tif 000006
【図５】
0003169695.tif 000007
【図６】
0003169695.tif 000008
【図７】
0003169695.tif 000009
【図８】
0003169695.tif 000010
【図９】
0003169695.tif 000011
【図１０】
0003169695.tif 000012
【図１１】
0003169695.tif 000013
【図１２】
0003169695.tif 000014
【図１３】
0003169695.tif 000015
【図１４】
0003169695.tif 000016
【図１５】
0003169695.tif 000017
【図１６】
0003169695.tif 000018